(57)【要約】      （修正有）【課題】記録材の種別を判別する精度を向上するとともに、判別処理に要する時間を低減させる。【解決手段】画像印刷装置は、記録材ごとの性質を表す１以上のパラメータを検出する検出部と、各パラメータと記録材の種別との対応関係を登録した判別テーブルを用いて、検出部による１回の検出処理によって検出された各パラメータから記録材の種別を判別する第１判別部と、判別対象の記録材が同一の印刷ジョブにおける２枚目以降の記録材である場合に、１枚前の記録材の種別と、第１判別部により判別された今回の記録材の種別とが同一であるか否かを判定する第１判定部と、１枚前の記録材の種別と今回の記録材の種別とが異なると判定されたときに、記録材の面内で検出位置を移動させながら検出部によって複数回の検出処理を実行させ、得られた各パラメータの平均値と判別テーブルとから記録材の種別を判別する第２判別部とを含む。【選択図】図７
2008155482.tif 000002
【特許請求の範囲】
【請求項１】
画像印刷装置であって、
記録材ごとの性質を表す１以上のパラメータを検出する検出部と、
各パラメータと記録材の種別との対応関係を登録した判別テーブルを用いて、前記検出部による１回の検出処理によって検出された各パラメータから記録材の種別を判別する第１判別部と、
判別対象の記録材が同一の印刷ジョブにおける２枚目以降の記録材である場合に、１枚前の記録材の種別と、前記第１判別部により判別された今回の記録材の種別とが同一であるか否かを判定する第１判定部と、
前記１枚前の記録材の種別と前記今回の記録材の種別とが異なると判定されたときに、記録材の面内で検出位置を移動させながら前記検出部によって複数回の検出処理を実行させ、得られた各パラメータの平均値と前記判別テーブルとから記録材の種別を判別する第２判別部と
を含むことを特徴とする画像印刷装置。
【請求項２】
前記１枚前の記録材の種別と前記今回の記録材の種別とが異なると判定された場合に、前記第２判別部による判別結果から印刷条件を決定し、
前記１枚前の記録材の種別と前記今回の記録材の種別とが同一であると判定された場合に、前記第１判別部による判別結果から印刷条件を決定する決定部をさらに含むことを特徴とする請求項１に記載の画像印刷装置。
【請求項３】
前記第１判別部による判別処理に用いられた各パラメータの少なくとも１つが、前記判別テーブルにおいて種別を区分するための各種別の境界線から類似及び非類似を断定するための断定線までに存在する類似範囲に含まれる値であるか否かを判定する第２判定部をさらに含み、
前記決定部は、
前記類似範囲に含まれる値であると判定された場合に、前記第２判別部による詳細な判別処理を実行させて得られた判別結果から印刷条件を決定し、
前記類似範囲に含まれる値でないと判定された場合に、前記第１判別部による判別結果から印刷条件を決定する
ことを特徴とする請求項２に記載の画像印刷装置。
【請求項４】
前記第２判定部は、
判別対象の記録材が印刷ジョブにおける１枚目の記録材である場合に、全ての種別における前記類似範囲を適用して判定し、
判別対象の記録材が同一の印刷ジョブにおける２枚目以降の記録材である場合に、１枚前の記録材の種別に対応する前記類似範囲を適用して判定する
ことを特徴とする請求項３に記載の画像印刷装置。
【請求項５】
記録材を供給する複数の記録材カセットと、
各記録材カセットから供給された記録材において判別された種別を該記録材カセットごとに記憶する記憶部とをさらに含み、
前記決定部は、判別対象の記録材が印刷ジョブにおける１枚目の記録材であって、
前記１枚目の記録材を供給した記録材カセットが、対応する前記記憶部に最後に種別が記憶されてから開閉されていない場合に、前記第１判別部及び前記第２判別部による判別処理を省略して、前記記憶部に記憶されている種別から印刷条件を決定し、
前記１枚目の記録材を供給した記録材カセットが、対応する前記記憶部に最後に種別が記憶されてから開閉されている場合に、少なくとも前記第１判別部による判別処理を実行させて得られた判別結果から印刷条件を決定する
ことを特徴とする請求項２乃至４の何れか１項に記載の画像印刷装置。
【請求項６】
判別対象の記録材が同一の印刷ジョブにおける２枚目以降の記録材であって、１枚前の記録材の種別が、前記第１判別部によって判別された種別及び前記第２判別部によって判別された種別と異なるときに、操作者に対して１枚前の記録材において決定された印刷条件から異なる印刷条件へ変更してもよいか否かを問い合わせる問い合わせ部を
さらに含むことを特徴とする請求項１乃至５の何れか１項に記載の画像印刷装置。
【請求項７】
前記記録材の種別は、普通紙、前記普通紙より光沢度の高いグロス紙及び前記普通紙より透過度の低い厚紙を含む
ことを特徴とする請求項１乃至６の何れか１項に記載の画像印刷装置。
【請求項８】
前記１以上のパラメータは、少なくとも光沢度及び透過度の何れか一方を含むことを特徴とする請求項１乃至７の何れか１項に記載の画像印刷装置。
【請求項９】
画像印刷装置を制御する制御方法であって、
記録材ごとの性質を表す１以上のパラメータを検出する検出ステップと、
各パラメータと記録材の種別との対応関係を登録した判別テーブルを用いて、前記検出ステップによる１回の検出処理によって検出された各パラメータから記録材の種別を判別する第１判別ステップと、
判別対象の記録材が同一の印刷ジョブにおける２枚目以降の記録材である場合に、１枚前の記録材の種別と、前記第１判別ステップにより判別された今回の記録材の種別とが同一であるか否かを判定する第１判定ステップと、
前記１枚前の記録材の種別と前記今回の記録材の種別とが異なると判定されたときに、記録材の面内で検出位置を移動させながら前記検出ステップによって複数回の検出処理を実行させ、得られた各パラメータの平均値と前記判別テーブルとから記録材の種別を判別する第２判別ステップと
を含むことを特徴とする制御方法。
【発明の詳細な説明】
【技術分野】
【０００１】
本発明は、印刷条件を決定するために記録材の種別を判別する画像印刷装置に関する。
【背景技術】
【０００２】
従来から画像印刷装置は、例えば、操作者から設定された記録材のサイズや種類（以下、種別と称す。）に応じて、記録材の搬送条件、転写条件及び定着条件などの印刷条件を決定している。また、内部に記録材の種別を判別するセンサを用いて、判別された種別に応じて印刷条件を決定する画像印刷装置も知られている。
【０００３】
特許文献１は、発光素子から記録材へ光を発射し、記録材に反射した反射光を受光することで、光沢度の高いグロスフィルムと、光沢度の低い普通紙とを判別する画像印刷装置を示している。また、特許文献２は、発光素子から記録材へ光を発射し、記録材を通過した透過光を受光することで、記録材の厚さを判別する画像印刷装置を示している。
【特許文献１】特開平０２−１３８８０５号公報
【特許文献２】特開２００１−１３９１８９号公報
【発明の開示】
【発明が解決しようとする課題】
【０００４】
しかし、近年、記録材の種別が多くなり、類似した種別の記録材を判別することが困難になりつつある。これは、種別の異なる記録材から受光センサにより取得した値の差が、小さすぎるからである。記録材自体の表面の粗さや厚み等がばらつくことによって、同一の記録材の面内であっても検出した値がばらつき、誤って判別することがある。
【０００５】
そこで、記録材の判別精度を向上させるために、同一の記録材の面内で、検出位置を移動し、複数回の検出作業を実施して得られた検出結果の平均値を用いれば、誤判別を低減できると考えられる（関連技術）。
【０００６】
しかしながら、上述した関連技術の画像印刷装置では、複数回の検出作業を繰り返すため印刷時のスループットに問題がある。検出作業は、記録材の姿勢を安定させるために、記録材を停止させた状態で行われる。よって、複数回の検出作業を実施すれば、検出位置を移動する毎に記録材を停止させる必要がある。例えば、１回の検出作業を実施するのに８００ｍｓ程度の時間を要したとする。記録材の検出回数をＮ回とすると、複数回の検出作業に要する時間は、８００×Ｎｍｓ程度となる。よって、記録材の種別を判別する判別精度は向上するが、高スループットでの印刷は難しい。
【０００７】
本発明は、上述した問題に鑑みて成されたものであり、判別処理に要する時間の増加を抑制しつつ、記録材の種別の判別精度を向上させる画像印刷装置を提供することを目的とする。
【課題を解決するための手段】
【０００８】
本発明は、例えば、画像印刷装置として実現できる。画像印刷装置は、記録材ごとの性質を表す１以上のパラメータを検出する検出部を含む。また、画像印刷装置は、各パラメータと記録材の種別との対応関係を登録した判別テーブルを用いて、検出部による１回の検出処理によって検出された各パラメータから記録材の種別を判別する第１判別部を含む。また、画像印刷装置は、判別対象の記録材が同一の印刷ジョブにおける２枚目以降の記録材である場合に、１枚前の記録材の種別と、第１判別部により判別された今回の記録材の種別とが同一であるか否かを判定する第１判定部とを含む。画像印刷装置は、１枚前の記録材の種別と今回の記録材の種別とが異なると判定されたときに、記録材の面内で検出位置を移動させながら検出部によって複数回の検出処理を実行させ、得られた各パラメータの平均値と判別テーブルとから記録材の種別を判別する第２判別部とを含む。
【発明の効果】
【０００９】
本発明は、判別処理に要する時間の増加を抑制しつつ、記録材の種別の判別精度を向上させる画像印刷装置を提供できる。
【発明を実施するための最良の形態】
【００１０】
以下、本発明に係る実施形態について図面を用いて説明する。なお、以下の実施の形態は特許請求の範囲に記載された発明を限定するものでなく、また本実施形態で説明されている特徴の組み合わせの全てが本発明の解決手段に必須のものとは限らない。また、本発明は、一適用例として、電子写真方式の画像印刷装置によって実現される。しかしながら、本発明は、インクジェットプリンタ等、他の画像印刷方式を採用した画像印刷装置によって実現されてもよい。
【００１１】
［第１の実施形態］
以下では、図１乃至図１１を参照して第１の実施形態について説明する。図１は、第１の実施形態に対応する画像印刷装置の一例を示す断面図である。ここでは、本発明に関する主要な要素についてのみ説明を記載する。
【００１２】
画像印刷装置１００は、記録材判別センサ１０１、搬送路１０２、画像形成部１０３ａ、ｂ、ｃ、ｄ、定着部１０４、記録材カセット１０５、１０６及びマルチトレイ１０７を含む。また、画像印刷装置１００は、搬送路１０２に沿って記録材を搬送するための各ローラを含む。
【００１３】
記録材判別センサ１０１は、記録材カセット１０５、１０６及びマルチトレイ１０７から供給される記録材の表面に光を照射し、その時の正反射光量と乱反射光量を検出する。そのため、記録材判別センサ１０１は、記録材カセット１０５、１０６及びマルチトレイ１０７から供給される記録材が合流する位置に配置されることが望ましい。また、記録材判別センサ１０１は、搬送路に形成されたスリットから記録材の裏面に光を照射し、その時の正透過光量を検出する。これにより、画像印刷装置１００は、印刷ジョブにおいて、供給された記録材ごとの性質を検出する。具体的な記録材判別センサ１０１の説明については、図２を用いて後述する。
【００１４】
画像形成部１０３ａ、ｂ、ｃ、ｄは、搬送されてきた記録材に現像剤像を形成する。画像形成部１０３ａ、ｂ、ｃ、ｄは、それぞれ順にブラック、シアン、マゼンダ、イエローの現像剤を備えている。具体的に、画像形成部１０３ａ、ｂ、ｃ、ｄは、それぞれ感光体ドラム、現像装置、露光装置及び転写ローラを含んで構成される。簡単に説明すると、記録材に画像を形成する際に、各画像形成部１０３（１０３ａ〜１０３ｄ）は、まず感光体ドラム上に露光装置によって静電潜像を形成し、現像装置により現像化する。その後、各画像形成部１０３は、感光体ドラム及び転写ローラによって搬送されてくる記録材を狭持搬送することにより感光体ドラム上に形成した現像剤像を記録材に転写する。
【００１５】
定着部１０４は、各画像形成部１０３によって形成された現像剤像を記録材に定着させる。具体的に、定着部１０４は、記録材上の現像剤像を加圧及び加熱することにより記録材に定着させる。その後、現像剤像が定着された記録材は、機外へ排出される。
【００１６】
記録材カセット１０５、１０６は、記録材を積載し、印刷ジョブにおいて指定された記録材を搬送路１０２へ供給する。また、マルチトレイ１０７には、Ａ４、Ｂ５等の定型サイズとは異なるサイズや性質の記録材が手差しで挿入される。このように、画像印刷装置１００は、様々な性質の記録材を扱うことができる。
【００１７】
図２は、第１の実施形態に対応する記録材判別センサの一例を示す図である。記録材判別センサ１０１は、図２に示すように、搬送路１０２の上側に配置された発光素子であるＬＥＤ２０１及び受光素子であるフォトトランジスタ２０２、２０３を含む。また、記録材判別センサ１０１は、搬送路１０２の下側に配置された発光素子であるＬＥＤ２０４を含む。このため、搬送路１０２には、記録材の裏面側から光を照射するための窓２０９が設けられる。
【００１８】
ＬＥＤ２０１を光源とする光は、スリット２０６ａを介して搬送路１０２上の記録材２０８の表面に対し照射される。記録材２０８からの反射光は、スリット２０６ｂ、２０６ｃを介し集光されてフォトトランジスタ２０２、２０３に受光される。これによって記録材２０８の表面粗さを判別するための光沢度を検出する。
【００１９】
ＬＥＤ２０４を光源とする光は、光を集光させるために形成される集光ガイド２０７を通って記録材２０８の裏面へ照射される。記録材２０８からの透過光は、スリット２０６ｂ、２０６ｃを介してフォトトランジスタ２０２、２０３に受光される。これによって記録材２０８の厚さを判別するための透過度を検出する。
【００２０】
本実施形態によれば、ＬＥＤ２０１は、照射する光が記録材２０８の表面に対して、図２に示すように所定の角度をもって斜めより照射されるように配置される。また、ＬＥＤ２０４は、照射する光が記録材２０８の裏面に対して、図２に示すようにフォトトランジスタ２０２の真下の位置から照射されるように配置される。
【００２１】
このように、本実施形態による画像印刷装置１００は、記録材判別センサ１０１を用いて、記録材の性質を表す１以上のパラメータ、例えば、光沢度や透過度を検出する。画像印刷装置１００は、これらの１以上のパラメータを用いて、記録材の種別、例えば、普通紙、厚紙及びグロス紙などを判別する。判別された記録材の種別は、記録材の搬送条件、転写条件や定着条件などの印刷条件を決定するために利用される。
【００２２】
図３は、第１の実施形態に対応する画像印刷装置における制御構成の一例を示す図である。ここでは、本発明に関する制御構成についてのみ説明を記載する。すなわち、本発明における画像印刷装置の制御構成は、以下で説明する構成に限定されない。
【００２３】
画像印刷装置１００は、図３に示す制御装置３０１を含む。制御装置３０１は、メイン制御部３０２、発光素子駆動部３０６、検出部３０７、判別部３０８、平均値演算部３０９及びメモリ３１０を含む。メイン制御部３０２は、発光素子駆動部３０６を制御し、判別された記録材の種別によって印刷条件を決定するための判定部３０３、決定部３０４及び問い合わせ部３０５を含む。また、制御装置３０１は、図１に示す記録材カセット１０５、１０６、マルチトレイ１０７、各画像形成部１０３、定着部１０４、各ローラである搬送機構部３１１及び不図示の表示操作パネル３１２を制御する。表示操作パネル３１２は、画像印刷装置１００の状態、例えば、動作中やジャムの発生などを操作者へ報知する。また、表示操作パネル３１２は、入力機構を有しており、操作者からの印刷条件の設定等を受け付ける。
【００２４】
発光素子駆動部３０６は、メイン制御部３０２の指示に従ってＬＥＤ（発光素子）２０１、２０４を駆動する。検出部３０７は、反射光及び透過光を受光するフォトトランジスタ（受光素子）２０２、２０３からの出力値を１６ｂｉｔの分解能でＡ／Ｄ変換して、記録材ごとの性質を表す１以上のパラメータを検出する。例えば、検出部３０７は、記録材の光沢度（正反射光量／乱反射光量）を示すパラメータを求める。但し、正反射光量はＬＥＤ２０１のみを発光した場合におけるフォトトランジスタ２０３の出力となり、乱反射光量はＬＥＤ２０４のみを発光した場合におけるフォトトランジスタ２０２の出力となる。また、検出部３０７は、記録材の透過度を示す正透過光量を求める。但し、正透過光量は、ＬＥＤ２０４のみを発光した場合におけるフォトトランジスタ２０２の出力となる。
【００２５】
判別部３０８は、検出部３０７によって検出された各パラメータと判別テーブルとを用いて、記録材の種別を判別する。ここで、判別テーブルとは、例えば、メモリ３１０に予め記憶されている各パラメータと記録材の種別との対応関係を登録したテーブルを示す。判別テーブルの詳細な説明に関しては、図４を用いて後述する。
【００２６】
平均値演算部３０９は、検出部３０７によって複数回の検出が行われた場合に各パラメータの平均値を求めて判別部３０８に出力する。例えば、１枚の記録材に対して２回の検出処理を実施して光沢度の平均値を求める場合は、以下のような式によって求められる。
ＰＡ＝（Ｐ１＋Ｐ２）／２
ここで、Ｐ１は１回目に検出された光沢度を示し、Ｐ２は２回目に検出された光沢度を示す。また、ＰＡは、求められる光沢度の平均値を示す。
【００２７】
ここで、本実施形態によれば、判別部３０８は、記録材の種別を判別するための簡易な判別と、詳細な判別との２つの判別処理を行う。簡易な判別とは、検出部３０７による１回の検出処理によって検出された各パラメータに対応する記録材の種別を判別する簡易判別処理を示す。一方、詳細な判別とは、記録材の面内で検出位置を移動させながら検出部３０７によって複数回の検出処理を実行させ、得られた各パラメータの平均値と判別テーブルとから記録材の種別を判別する詳細判別処理を示す。
【００２８】
判定部３０３は、簡易判別処理が行われた後に、詳細判別処理が必要であるか否かを判定する。例えば、判定部３０３は、判別対称の記録材が同一の印刷ジョブにおける２枚目以降の記録材である場合に、１枚前の記録材において判別された種別と、今回の記録材において判別された種別とが同一であるか否かを判定する。また、判定部３０３は、簡易判別処理に用いられた各パラメータの少なくとも１つが判別テーブルにおいて種別を区分するための各種別の境界線から類似及び非類似を断定するための断定線までに存在する類似範囲に含まれる値であるか否かを判定する。この判定処理についての詳細は、図５を用いて後述する。
【００２９】
決定部３０４は、判別部３０８による判別結果から搬送条件、転写条件及び定着条件などの印刷条件を決定する。例えば、決定部３０４は、判定部３０３によって１枚前の記録材において判別された種別と今回の記録材において判別された種別とが異なると判定された場合に、詳細判別処理による判別結果から印刷条件を決定する。一方、判定部３０３によって同一であると判定された場合に、決定部３０４は、簡易判別処理による判別結果から印刷条件を決定する。また、決定部３０４は、判定部３０３によって簡易判別処理に用いられたパラメータが類似範囲に含まれる値であると判定された場合に、詳細判別処理による判別結果から印刷条件を決定する。一方、判定部３０３によって類似範囲に含まれる値でないと判定された場合に、決定部３０４は、簡易判別処理による判別結果から印刷条件を決定する。
【００３０】
問い合わせ部３０５は、判別対象の記録材が同一の印刷ジョブにおける２枚目以降の記録材である場合に、操作者に対して１枚前の印刷条件から変更してもよいか否かを問い合わせる。しかしながら、本実施形態において、問い合わせ部３０５は、使用されない。問い合わせ部３０５の詳細については、第３の実施形態において説明する。
【００３１】
図４は、第１の実施形態に対応する記録材の種別を判別するための判別テーブルの一例を示す図である。判別テーブル４０１は、説明を容易にするため縦軸に光沢度及び横軸に透過度を有するグラフとして説明する。しかしながら、判別テーブル４０１は、メモリ３１０に以下で説明するような記録材の種別を判別するために必要となる情報が記憶されて実現される。なお、図４に示すグラフは、横軸の右に向かって光沢度が高くなり、縦軸の上に向かって透過度が低くなる。
【００３２】
判別テーブル４０１は、検出された各パラメータ（ここでは、光沢度及び透過度となる。）と比較するために判別部３０８によって用いられる。判別テーブル４０１は、例えば、図４に示すように光沢度及び透過度から普通紙、厚紙及びグロス紙とに記録材の種別を判別する。図４に示す境界線４０７は、各種別を区分するための閾値を示す。すなわち、縦軸、横軸及び境界線４０７で区分された領域４０４に属する検出結果は、普通紙に判別される。同様に、領域４０５は厚紙を示し、領域４０６は、グロス紙を示す。このように判別部３０８によって判別された記録材の種別は、決定部３０４によって印刷条件を決定するために用いられる。
【００３３】
このような判別テーブル４０１の判別機能を実現するために、メモリ３１０には、記録材を判別するための境界線４０７となる閾値が記憶される。さらに、メモリ３１０には、ＬＥＤ２０１に対応する２種類以上の異なる発光量のデータと、ＬＥＤ２０４に対応する１種類の発光量のデータが格納される。また、メモリ３１０には、工場出荷時に基準紙を用いてフォトトランジスタ２０２、２０３によって測定された正反射光量、乱反射光量が格納される。これにより、製品ごとで検出処理の設定値を調整することで、本画像印刷装置１００は、ＬＥＤ２０１、２０４及びフォトトランジスタ２０２、２０３の個体差による検出処理のばらつきを抑制しうる。
【００３４】
図５は、第１の実施形態に対応する簡易判別処理による判別結果の一例を示す図である。ここでは、簡易判別処理による判別精度について判別テーブル４０１を用いて説明する。
【００３５】
ここでは、普通紙、厚紙、そしてグロス紙に対して、検出部３０７による１回の検出結果を用いる簡易判別処理をそれぞれ３回実施した判別結果を示す。図５において、三角印が普通紙、丸印が厚紙、そして四角印がグロス紙を用いて検出された結果を示す。図５に示すように、簡易判別処理では、同一記録材であっても検出値にばらつきが生じる。その結果、普通紙の検出結果５０１は、光沢度がグロス紙の範囲であるために、グロス紙と誤って判別される。このように、簡易判別処理では、検出結果のばらつきにより判別精度が低くなる。
【００３６】
図６は、第１の実施形態に対応する詳細判別処理による判別結果の一例を示す図である。ここでは、詳細判別処理による判別精度について判別テーブル４０１を用いて説明する。
【００３７】
ここでは、普通紙、厚紙、そしてグロス紙に対して、検出部３０７による複数回の検出結果を用いる詳細判別処理をそれぞれ３回実施した判別結果を示す。図６において、三角印が普通紙、丸印が厚紙、そして四角印がグロス紙を用いて検出された結果を示す。図６に示すように、詳細判別処理では、同一記録材における検出値のばらつきが、図５に示す簡易判別処理のばらつきに比べて小さい。したがって、簡易判別処理において発生していたように、普通紙をグロス紙に誤って判別する可能性が非常に低い。つまり、詳細判別処理は、簡易判別処理に比べて、記録材の種別を判別する精度が向上する。
【００３８】
しかし、詳細判別処理は、記録材の検出位置を移動させる毎に記録材を停止させて、記録材の検出を実施する作業を繰り返すことになり、簡易判別処理に比べて、判別処理に要する時間が増加する。通常、１回の検出処理を実施するのに８００ｍｓ程度の時間を要する。つまり、検出処理の回数をＮ回とすると、複数回の検出処理に要する時間は、８００×Ｎ（ｍｓ）程度となる。そこで、本実施形態による画像印刷装置１００は、記録材の判別精度を低下させることなく、一つの印刷ジョブに要する検出時間の増加を必要最小限に抑制することを実現する。
【００３９】
図７は、第１の実施形態に対応する印刷条件を決定する制御を示すフローチャートである。なお、ここでは、説明の便宜上、一つの印刷ジョブで２枚連続片面印刷する場合について説明する。
【００４０】
ステップＳ７０１において、メイン制御部３０２は、印刷ジョブの１枚目における記録材の種別を判別する。ここでの判別処理は、簡易判別処理となる。詳細に、メイン制御部３０２は、まず、搬送機構部３１１を制御して記録材判別センサ１０１の位置まで記録材を搬送する。次に、メイン制御部３０２は、発光素子駆動部３０６を制御して、ＬＥＤ２０１、２０４を駆動させて検出を開始する。その後、検出部３０７は、フォトトランジスタ２０２、２０３からの信号を取得して、１以上のパラメータである光沢度及び透過度を検出する。検出部３０７は、検出した光沢度及び透過度の値を判別部３０８へ出力する。判別部３０８は、メモリ３１０に記憶された判別テーブル４０１を用いて、検出された光沢度及び透過度に対応する記録材の種別を判別する。なお、ここで判別された種別を１Ａとする。
【００４１】
続いて、ステップＳ７０２において、判定部３０３は、Ｓ７０１で検出された光沢度及び透過度が判別テーブル４０１において類似範囲の値であるか否かを判定する。ここで、類似範囲について、図８を用いて説明する。図８は、第１の実施形態に対応する判別テーブルにおける類似範囲を説明する図である。図８は、判別テーブル４０１に、境界線４０７を示す閾値（光沢度Ｘ、透過度Ｙ）から±σ（断定線）までの範囲となる類似範囲８０３を追記している。類似範囲８０３は、記録材の種別が誤って判別される可能性が高い範囲示す。例えば、記録材の検出結果８０１は、類似範囲８０３の範囲内に存在する。また、検出結果８０２は、類似範囲８０３の範囲外に存在する。ここでステップＳ７０２を用いることで、誤って判別された可能性が高い検出結果８０１についてのみ、判別部３０８は、詳細判別処理を実施する。これにより、本画像印刷装置１００は、記録材の種別を判別するために要する時間の増加を最小限に抑制しうる。
【００４２】
１枚目の記録材の検出結果が類似範囲８０３の範囲外である場合、メイン制御部３０２は、処理をＳ７０４に遷移させる。続いて、ステップＳ７０４において、決定部３０４は、１枚目の記録材の印刷条件を種別１Ａから決定する。一方、類似範囲８０３の範囲内である場合、ステップＳ７０３において、判別部３０８は、詳細判別処理を実施する。なお、ここで判別された種別を１Ｂとする。続いて、ステップＳ７０４において、決定部３０４は、１枚目の記録材の印刷条件を種別１Ｂから決定する。印刷条件が決定されると、ステップＳ７０５において、メイン制御部３０２は、決定された印刷条件に従って記録材に画像を形成する。なお、以下では１枚目で印刷条件を決定する際に用いられた記録材の種別を１とする。
【００４３】
ここで、Ｓ７０３の詳細判別処理について説明する。光沢度の検出において、メイン制御部３０２は、記録材を少し移動させ、記録材の光量検出位置を変える。その後、メイン制御部３０２は、ＬＥＤ２０１を再発光させて、記録材の光沢度（正反射光量／乱反射光量）を求める。求めた光沢度をＰａ１’とする。また、Ｓ７０１で求められた光沢度をＰａ１とする。平均値演算部３０９は、光沢度Ｐａ１と光沢度Ｐａ１’との平均値Ｐａ１Ａ（Ｐａ１Ａ＝（Ｐａ１＋Ｐａ１’）／２）を求める。また、透過度の検出において、メイン制御部３０２は、記録材を少し移動させ、記録材の光量検出位置を変える。その後、メイン制御部３０２は、ＬＥＤ２０４を再発光して、記録材の透過度（正透過光量）を求める。求めた透過度をＰｂ１’とする。また、Ｓ７０１で求められた透過度をＰｂ１とする。平均値演算部３０９は、透過度Ｐｂ１と透過度Ｐｂ１’との平均値Ｐｂ１Ａ（Ｐｂ１Ａ＝（Ｐｂ１＋Ｐ１ｂ’）／２）を求める。判別部３０８は、判別テーブル４０１を用いて、平均値演算部３０９によって求められた光沢度及び透過度の平均値Ｐａ１Ａ、Ｐｂ１Ａに対応する種別１Ｂを判別結果とする。
【００４４】
次に、ステップＳ７０６において、メイン制御部３０２は、印刷ジョブの２枚目における記録材の種別を判別する。ここでの判別処理は、簡易判別処理となる。ここでの処理は、Ｓ７０１と同様であるため詳細な説明は省略する。なお、ここで判別された種別を２Ａとする。また、得られた記録材の光沢度をＰａ２、透過度をＰｂ２とする。
ステップＳ７０７において、判定部３０３は、１枚目の記録材で判別された種別１と、Ｓ７０６で判別された種別２Ａとが同一であるか否かを判定する。同一であると判定されると、ステップＳ７１１において、決定部３０４は、種別２Ａから印刷条件を決定する。また、ここで、同一であると判定されると、決定部３０４は、１枚目で決定された印刷条件をそのまま２枚目の印刷条件として決定してもよい。一方、同一でないと判定されると、メイン制御部３０２は、処理をＳ７０８へ遷移させる。
【００４５】
ステップＳ７０８において、判定部３０３は、Ｓ７０６で検出された光沢度Ｐａ２及び透過度Ｐｂ２が判別テーブル４０１において類似範囲８０３の値であるか否かを判定する。詳細な説明については、Ｓ７０２と重複するため省略する。検出結果が類似範囲８０３の範囲外であると判定されると、ステップＳ７１１において、決定部３０４は、種別２Ａから印刷条件を決定する。その後、ステップＳ７１２において、メイン制御部３０２は、決定された印刷条件に従って２枚目の記録材に画像を形成する。一方、検出結果が類似範囲８０３の範囲内であると判定されると、メイン制御部３０２は、処理をＳ７０９へ遷移させる。
【００４６】
ステップＳ７０９において、判別部３０８は、詳細判別処理を実施する。なお、ここで判別された種別を２Ｂとする。続いて、ステップＳ７１０において、決定部３０４は、Ｓ７０９で判別された種別２Ｂから印刷条件を決定する。その後、ステップＳ７１１において、メイン制御部３０２は、決定された印刷条件に従って２枚目の記録材に画像を形成する。
【００４７】
また、本実施形態によれば、２枚目以降の詳細判別処理の判定（Ｓ７０８）に用いられる判別テーブル４０１の類似範囲は、１枚目の詳細判別処理の判定（Ｓ７０２）に用いられる判別テーブル４０１の類似範囲８０３と異なる。これは、２枚目以降の類似範囲を１枚目の記録材において判別された種別により限定することで不要な詳細判別処理を実施しないためである。２枚目以降の類似範囲について、図９乃至図１１を用いて説明する。
【００４８】
図９は、第１の実施形態に対応する１枚目の記録材が普通紙と判別された場合の２枚目以降の判別テーブルにおける類似範囲を示す図である。図９に示すように、１枚目の記録材における種別が普通紙であると判別されると、類似範囲９０１は、普通紙と判別される領域から、光沢度の閾値Ｘ＋σ及び透過度の閾値Ｙ−σと設定される。これは、実際に判別した記録材の種別が１枚目と同様に普通紙である可能性が高いため、普通紙における類似範囲のみを詳細判別処理の対象としている。
【００４９】
図１０は、第１の実施形態に対応する１枚目の記録材が厚紙と判別された場合の２枚目以降の判別テーブルにおける類似範囲を示す図である。図１０に示すように、１枚目の記録材における種別が厚紙であると判別されると、類似範囲１００１は、厚紙と判別される領域から、光沢度の閾値Ｘ＋σ及び透過度の閾値Ｙ＋σと設定される。これは、実際に判別した記録材の種別が１枚目と同様に厚紙である可能性が高いため、厚紙における類似範囲のみを詳細判別処理の対象としている。
【００５０】
図１１は、第１の実施形態に対応する１枚目の記録材がグロス紙と判別された場合の２枚目以降の判別テーブルにおける類似範囲を示す図である。図１１に示すように、１枚目の記録材における種別がグロス紙であると判別されると、類似範囲１１０１は、グロス紙と判別される領域から、光沢度の閾値Ｘ−σと設定される。これは、実際に判別した記録材の種別が１枚目と同様にグロス紙である可能性が高いため、グロス紙における類似範囲のみを詳細判別処理の対象としている。
【００５１】
以上説明したように、本実施形態による画像印刷装置は、同一の印刷ジョブにおいて、１枚前の記録材の種別と今回の記録材において判別された種別とが異なると判定されたときにのみ、複数回の検出処理を実施して詳細判別処理を行う。これにより、本画像印刷装置は、記録材の性質を検出するための検出処理を必要最小限に抑制する。したがって、本画像印刷装置は、判別処理に要する時間の増加を抑制しつつ、記録材の種別の判別精度を向上させうる。
【００５２】
なお、本発明は、上記実施形態に限らず様々な変形が可能となる。本画像印刷装置は、例えば、簡易判別処理に用いられた各パラメータの少なくとも１つが判別テーブルにおける類似範囲に含まれる値であるときのみに、詳細判別処理を実行してもよい。これにより、本画像印刷装置は、他の種別と類似した記録材であっても、誤って判別される誤判別を低減しうる。また、本画像印刷装置は、他の種別と類似した記録材のみに詳細判別処理を実施するため、判別処理全体のスループットを低下させることなく、判別精度を向上させうる。
【００５３】
また、本画像印刷装置は、１枚目の記録材の判別処理に用いられる類似範囲から２枚目以降の記録材の判別処理に用いられる類似範囲を限定してもよい。これにより、本画像印刷装置は、２枚目以降の不要な詳細判別処理を抑制しうる。したがって、本画像印刷装置は、記録材の種別を判別する精度を保ちつつ、判別処理に要する時間を低減させうる。
【００５４】
また、本実施形態による画像印刷装置では、検出位置を１回だけ変更して、検出回数が２回となる詳細判別処理について説明した。しかしながら、詳細判別処理の検出回数は、２回に限定するものではなく、検出精度に応じて回数を増やしてもよい。また、本実施形態では、説明の便宜上、１つの印刷ジョブで２枚連続片面印刷する場合について説明した。しかしながら、１つの印刷ジョブで３枚以上連続印刷する場合に、３枚目以降の詳細判別処理についても、１枚前の判別結果と比較することで省略してもよい。
［第２の実施形態］
次に、図１２を参照して第２の実施形態について説明する。本実施形態による画像印刷装置１００は、前回の印刷ジョブと同一の記録材カセット１０５、１０６から供給される記録材について判別処理を省略することを特徴とする。図１２は、第２の実施形態に対応する印刷条件を決定する制御を示すフローチャートである。なお、ここでは、図７に示すフローチャートと重複するステップについては説明を省略する。すなわち、ここでは、ステップＳ７０１からステップＳ７１２までの説明を省略する。
【００５５】
本実施形態による画像印刷装置１００では、記録材カセット（ＣＳＴ）１０５、１０６に積載された記録材は同一である可能性が高いため、ＣＳＴの開閉が無い場合にＣＳＴ内の記録材は変わらない可能性が高い。そのため、本画像印刷装置１００は、一つ前の印刷ジョブで決定した印刷条件を、次の印刷ジョブにおける１枚目の印刷条件として用いることで、１枚目の記録材における判別処理を省略する。これにより、本画像印刷装置１００は、ファーストプリントアウト時間を短縮しうる。また、本画像印刷装置１００において、印刷ジョブにおいて決定された印刷条件又は印刷条件を決定するために用いられた記録材の種別は、メモリ３１０に記憶されている。
【００５６】
ステップＳ１２０１において、メイン制御部３０２は、開始された印刷ジョブにおいて指定された給紙口を判別する。具体的に、メイン制御部３０２は、指定された給紙口が記録材カセット１０５、１０６であるか、マルチトレイ１０７であるかを判別する。マルチトレイ１０７である場合、メイン制御部３０２は、処理をＳ７０１に遷移させ、判別処理を開始する。
【００５７】
一方、記録材カセット１０５、１０６である場合、ステップＳ１２０２において、メイン制御部３０２は、該当する記録材カセット（ここでは、記録材カセット１０５とする）が前回の印刷ジョブで利用されてから開閉されているか否かを判定する。これは、記録材カセット１０５、１０６の開閉情報をメモリ３１０に記憶された情報から取得するようにしてもよい。また、メイン制御部３０２は、記録材カセット１０５、１０６ごとにメモリ３１０に記憶された前回使用された印刷ジョブにおいて決定された印刷条件又は印刷条件を破棄してもよい。これにより、Ｓ１２０２の処理において、メイン制御部３０２は、前回の印刷ジョブにおける情報がメモリ３１０に記憶されているか否かを判定すればよい。
【００５８】
開閉されている場合、メイン制御部３０２は、処理をＳ７０１に遷移させ、判別処理を開始する。一方、開閉されていない場合、ステップＳ１２０３において、メイン制御部３０２は、メモリ３１０に記憶されている前回の印刷ジョブにおいて決定された印刷条件に従って１枚目の記録材に画像を形成する。
【００５９】
以上説明したように、本画像印刷装置は、記録材を供給する複数の記録材カセットと、各記録材カセットから供給された記録材において判別された種別を記録材カセットごとに記憶する記憶部とをさらに含んでもよい。この場合、決定部は、判別対象の記録材が印刷ジョブにおける１枚目の記録材であって、１枚目の記録材を供給した記録材カセットが、対応する記憶部に最後に種別が記憶されてから開閉されていない場合に、判別処理を省略してもよい。また、決定部は、１枚目の記録材を供給した記録材カセットが対応する記憶部に最後に種別が記憶されてから開閉されている場合に、少なくとも簡易判別処理を実行させて得られた判別結果から印刷条件を決定してもよい。これにより、本画像印刷装置は、印刷ジョブにおける１枚目の記録材において、不要な判別処理を省略でき、さらに印刷のスループットを向上させうる。
【００６０】
また、本実施形態では、記録材カセット及びマルチトレイを有する画像印刷装置について説明したが、オプションフィーダを有する画像印刷装置であっても、本実施形態による記録材カセットと同様の制御が実行可能である。
【００６１】
［第３の実施形態］
次に、図１３及び図１４を参照して、第３の実施形態について説明する。同一の印刷ジョブ内で印刷条件を変更した場合、同一の印刷ジョブの記録材が別々の印刷条件で印刷される場合が発生する。これは、同一の印刷ジョブの記録材でグロス値や定着性などの画質が異なる記録材が発生し、ユーザにとって好ましくない場合がある。そこで、本実施形態は、同一の印刷ジョブにおいて、途中で印刷条件を変更する場合に、操作者に対して確認を行う。
【００６２】
図１３は、第３の実施形態に対応する印刷条件を決定する制御を示すフローチャートである。なお、ここでは、図７に示すフローチャートと重複するステップについては説明を省略する。すなわち、ここでは、ステップＳ１３０１からステップＳ１３０４の処理についてのみ詳細な説明を記載する。図１４は、第３の実施形態に対応する印刷システムを示す図である。
【００６３】
Ｓ７０９で２枚目の記録材における詳細判別処理が行われると、ステップ１３０１において、判定部３０３は、１枚目の記録材において判別された種別と、Ｓ７０９の詳細判別処理で判別された種別とが同一であるか否かを判定する。同一である場合、メイン制御部３０２は、処理をＳ１３０３に遷移させ、２枚目の印刷条件を１枚目の記録材と同じ印刷条件に設定する。
【００６４】
一方、同一でない場合、ステップＳ１３０２において、問い合わせ部３０５は、操作者に対して２枚目の印刷条件を１枚目の印刷条件から変更してもよいか否かを問い合わせる。ここで、問い合わせ部３０５は、図１４に示すように、ＰＣ１４０１の表示部１４０３又は画像印刷装置１００の表示操作パネル３１２に確認画面を表示してもよい。操作者から入力は、メイン制御部３０２へ伝達される。
【００６５】
変更が許可されない場合、ステップＳ１３０３において、決定部３０４は、２枚目の印刷条件を１枚目の記録材と同じ印刷条件に設定する。一方、変更が許可された場合、ステップＳ１３０４において、決定部３０４は、Ｓ７０９の詳細判別処理で判別された種別から印刷条件を決定する。
【００６６】
以上説明したように、本画像印刷装置は、同一の印刷ジョブにおいて、１枚目の判別結果と２枚目の判別結果が異なる場合に、記録材の印刷条件変更してもよいか否かを操作者に問い合わせる。これにより、本画像印刷装置は、さらに記録材の判別精度を向上しうる。また、本画像印刷装置は、ユーザフレンドリーな操作体系を提供しうる。
【図面の簡単な説明】
【００６７】
【図１】第１の実施形態に対応する画像印刷装置の一例を示す断面図である。
【図２】第１の実施形態に対応する記録材判別センサの一例を示す図である。
【図３】第１の実施形態に対応する画像印刷装置における制御構成の一例を示す図である。
【図４】第１の実施形態に対応する記録材の種別を判別するための判別テーブルの一例を示す図である。
【図５】第１の実施形態に対応する簡易判別処理による判別結果の一例を示す図である。
【図６】第１の実施形態に対応する詳細判別処理による判別結果の一例を示す図である。
【図７】第１の実施形態に対応する印刷条件を決定する制御を示すフローチャートである。
【図８】第１の実施形態に対応する判別テーブルにおける類似範囲を説明する図である。
【図９】第１の実施形態に対応する１枚目の記録材が普通紙と判別された場合の２枚目以降の判別テーブルにおける類似範囲を示す図である。
【図１０】第１の実施形態に対応する１枚目の記録材が厚紙と判別された場合の２枚目以降の判別テーブルにおける類似範囲を示す図である。
【図１１】第１の実施形態に対応する１枚目の記録材がグロス紙と判別された場合の２枚目以降の判別テーブルにおける類似範囲を示す図である。
【図１２】第２の実施形態に対応する印刷条件を決定する制御を示すフローチャートである。
【図１３】第３の実施形態に対応する印刷条件を決定する制御を示すフローチャートである。
【図１４】第３の実施形態に対応する印刷システムを示す図である。
【符号の説明】
【００６８】
１００：画像印刷装置
１０１：記録材判別センサ
１０２：搬送路
１０３ａ〜ｄ：画像形成部
１０４：定着部
１０５、１０６：記録材カセット
１０７：マルチトレイ
【図１】
2008155482.tif 000003
【図２】
2008155482.tif 000004
【図３】
2008155482.tif 000005
【図４】
2008155482.tif 000006
【図５】
2008155482.tif 000007
【図６】
2008155482.tif 000008
【図７】
2008155482.tif 000009
【図８】
2008155482.tif 000010
【図９】
2008155482.tif 000011
【図１０】
2008155482.tif 000012
【図１１】
2008155482.tif 000013
【図１２】
2008155482.tif 000014
【図１３】
2008155482.tif 000015
【図１４】
2008155482.tif 000016